(57)【要約】      （修正有）【課題】壁掛け形エアコンの逆配管と冷媒配管とを接続する際、接続作業の効率を向上させるとともに、作業中における安全性と利便性を高めることができる壁掛け形エアコンの逆配管取付用補助具を提供する。【解決手段】壁掛け形エアコンの逆配管取付用補助具１は、壁面側に配設される壁面係止部２と、室内機の背面に配設される室内機係止部３と、前記壁面係止部２と室内機係止部３とを連設する本体部４とで構成される。また前記壁面係止部２と室内機係止部３に緩衝材５を装着した。さらに前記室内機係止部３に折曲部６を設けた。【選択図】図１
0003156979.tif 000002
【実用新案登録請求の範囲】
【請求項１】
壁面側に配設される壁面係止部と、室内機背面に配設される室内機係止部と、前記壁面係止部と室内機係止部とを連設する本体部とで構成されることを特徴とする壁掛け形エアコンの逆配管取付用補助具。
【請求項２】
前記壁面係止部と室内機係止部に緩衝材を装着した請求項１記載の壁掛け形エアコンの逆配管取付用補助具。
【請求項３】
前記室内機係止部に折曲部を設けた請求項１または２記載の壁掛け形エアコンの逆配管取付用補助具。
【考案の詳細な説明】
【技術分野】
【０００１】  本考案は、壁掛け形エアコンの逆配管と冷媒配管とを接続する際、接続作業の安全性と効率性を向上させることができる壁掛け形エアコンの逆配管取付用補助具に関する。
【背景技術】
【０００２】  室内の空気の調整を行うエアコンには、窓に取り付ける窓形と、壁面に装着する壁掛け形エアコン等がある。かかる壁掛け形エアコンは室内に配設される室内機と、屋外に配設される室外機とで構成されている。【０００３】  壁掛け形エアコンの室内機を壁面に装着する際、室内機に接続された逆配管を、屋外機から連結されている冷媒配管と接続する必要がある。この連結作業は、図４に示すように、室内機１０を手前に引き上げ、壁面２０と室内機１０との間に作業空間を形成し接続作業を行う。この際、壁面２０と室内機１０との間に発泡スチロールや段ボール等の肉厚部材Ａを配置させ、空間を保持した状態で逆配管１１と冷媒配管１１´との接続作業を行う。
【考案の概要】
【考案が解決しようとする課題】
【０００４】  しかしながら、壁面と室内機との間に発泡スチロールや段ボール等の肉厚部材を配置させると、肉厚部材が変形したり作業中にずれて落下したりする。そのため、作業効率が低下するとともに、事故発生の原因に繋がるという問題が生じた。【０００５】  そこで本考案は上記の点に鑑み、壁掛け形エアコンの逆配管と冷媒配管とを接続する際、接続作業の効率を向上させるとともに、作業中における安全性と利便性を高めることができる壁掛け形エアコンの逆配管取付用補助具を提供することにある。
【課題を解決するための手段】
【０００６】  上記課題を解決するために、本考案の壁掛け形エアコンの逆配管取付用補助具は、壁面側に配設される壁面係止部と、室内機背面に配設される室内機係止部と、前記壁面係止部と室内機係止部とを連設する本体部とで構成されることを特徴とする。【０００７】  また前記壁面係止部と室内機係止部に緩衝材を装着した。【０００８】  さらに前記室内機係止部に折曲部を設けた。
【考案の効果】
【０００９】  際壁面側に配設される壁面係止部と、室内機背面に配設される室内機係止部と、前記壁面係止部と室内機係止部とを連設する本体部とで構成されているため、室内機を手前に引き上げ、逆配管取付用補助具の壁面係止部を壁面に配設し、室内機係止部を室内機の背面に配設することで、容易に、且つ確実に室内機を傾斜状態に保持して作業空間を形成することができ、作業時間を大幅に短縮することができる。【００１０】  また、壁面係止部と室内機係止部に緩衝材を装着したことで、逆配管取付用補助具による壁面や室内機を傷付けることなく、さらに作業中における逆配管取付用補助具のズレや落下の発生を防止することができる。【００１１】  さらに室内機係止部に折曲部を設けたことにより、室内機の傾斜角度や如何なる種類の室内機においても確実に対応することができる。
【図面の簡単な説明】
【００１２】
【図１】（ａ）は逆配管取付用補助具の全体斜視図、（ｂ）は前記逆配管取付用補助具の他方面からの全体斜視図である。
【図２】前記逆配管取付用補助具の側面図である。
【図３】本考案における壁掛け形エアコンの逆配管取付用補助具の使用状態を示す側面図である。
【図４】逆配管と冷媒配管との接続作業の従来例を示す。
【考案を実施するための形態】
【００１３】  以下、本考案の壁掛け形エアコンの逆配管取付用補助具における実施の形態を図１乃至図３に基づいて説明する。
【００１４】  本考案の壁掛け形エアコンの逆配管取付用補助具は、壁掛け形エアコンの逆配管と冷媒配管とを接続する際、接続作業の効率を向上させるとともに、作業中における安全性と利便性を高めることを特徴とするものである。
【００１５】  図１の（ａ）（ｂ）および図２に示す逆配管取付用補助具１は、壁面２０側に配設される壁面係止部２と、室内機１０の背面に配設される室内機係止部３と、前記壁面係止部２と室内機係止部３とを連設する本体部４とで構成される。
【００１６】  逆配管取付用補助具１の素材は、金属、特に耐食性、防錆性、強度、加工面等に優れたステンレス鋼で形成されている。また逆配管取付用補助具１の大きさは特に限定されるものではないが、壁面２０と室内機１０との間に１０ｃｍから１５ｃｍの間隔を保持させるために、本体部４の長さを約８ｃｍ程度に形成することが望ましい。また本体部４の幅は約３ｃｍ、厚みは約１．５ｃｍとされている。
【００１７】  壁面係止部２は、前記本体部４の一端にＬ字状に下方に屈曲された状態で形成されており、上下幅が約３ｃｍ、左右幅が約３ｃｍの形状を呈している。また前記壁面係止部２は、使用の際、壁面２０（装着金具２１）側に係止された状態で配設される。
【００１８】  室内機係止部３は、前記本体部４の他端に下方に屈曲された状態で形成されている。前記室内機係止部３は、使用の際、室内機１０の背面側に係止された状態で配設される。また前記室内機係止部３は、本体部４の一端に下方に屈曲された垂直部７と、垂直部７から外側方向に１５０°傾斜された傾斜部８とからなる。
【００１９】  前記室内機係止部３に垂直部７と傾斜部８を備えることにより、略中央部分に屈曲部６が形成される。そのことにより、室内機１０の傾斜角度や如何なる機種の室内機１０においても容易に、且つ確実に対応させることができる。
【００２０】  また他の好適例として、前記壁面係止部２と室内機係止部３に緩衝材５を装着した。かかる緩衝材５は、高い緩衝性と適宜強度を有するウレタン樹脂ゴム等の材質からなり、厚さが約１ｍｍに形成されている。前記壁面係止部２と室内機係止部３に緩衝材５を装着することにより、室内機１０の傾斜保持の際にクッション性が得られるとともに、逆配管取付用補助具１のズレや落下が発生せず、安全に、且つ効率よく接続作業を行うことができる。
【００２１】  次に、本考案における壁掛け形エアコンの逆配管取付用補助具の使用方法を図３に基づいて説明する。
【００２２】  先ず、室内機１０の下部を手前に引き上げ、壁面２０と室内機１０の間に空間を形成する。次に、逆配管取付用補助具１の壁面係止部２を壁面２０（装着金具２１）側に係止させ、室内機係止部３を室内機１０の背面側に係止させる。
【００２３】  壁面２０と室内機１０の間に逆配管取付用補助具１を配設させることで、壁面２０と室内機１０との間に１０ｃｍから１５ｃｍの間隔を保持することができる。この状態で室内機１０に装着されている逆配管１１と、室外機（図示せず）に装着されている冷媒配管１１´との接続作業を容易に、且つスムーズに実施することができる。
【００２４】  また室内機係止部３が垂直部７、傾斜部８および屈曲部６を有するとともに、壁面係止部２と室内機係止部３に緩衝材５を装着したことで、逆配管取付用補助具１のズレや落下、また変形等の問題が解消され、管の接続作業を安全に、且つ効率よく実施することができる。
【符号の説明】
【００２５】１    逆配管取付用補助具
２    壁面係止部
３    室内機係止部
４    本体部
５    緩衝材
６    折曲部
７    垂直部
８    傾斜部
１０  室内機
１１  逆配管
１１´冷媒配管
２０  壁面
２１  装着金具
Ａ    肉厚部材
【図１】
0003156979.tif 000003
【図２】
0003156979.tif 000004
【図３】
0003156979.tif 000005
【図４】
0003156979.tif 000006